(57)【要約】【課題】花木を覆うことができて花木を雪から保護することができ、短時間で容易に雪囲い作業を行うことができ、かつ、保形杆体により複数個の覆杆体のＸ状部分を保形することができ、それだけ、支柱構造体及び覆杆体の全体としての構造強度を高めることができる。【解決手段】頂部材１及び該頂部材を地面に立設可能な脚杆体２からなる全体としてほぼ三角形状をなす複数個の支柱構造体Ｋを雪から保護すべき花木Ｗを跨ぐ状態で該花木の植列方向としての前後方向に間隔を置いて配設し、該前後に隣り合う頂部材間に左右対向状に一対の横桟体４を挿通架設し、該一対の横桟体の対向間隙Ｂに複数個の覆杆体５を左右交互にＸ状に挿通して該覆杆体を地面に立設配置し、該隣り合う頂部材間に保形杆体６を該複数個の覆杆体のＸ状部分Ｓの上部間に位置して挿通架設してなる。【選択図】        図１
2004242629.tif 000002
【特許請求の範囲】
【請求項１】
頂部材及び該頂部材を地面に立設可能な脚杆体からなる全体としてほぼ三角形状をなす複数個の支柱構造体を雪から保護すべき花木を跨ぐ状態で該花木の植列方向としての前後方向に間隔を置いて配設し、該前後に隣り合う頂部材間に左右対向状に一対の横桟体を挿通架設し、該一対の横桟体の対向間隙に複数個の覆杆体を左右交互にＸ状に挿通して該覆杆体を地面に立設配置し、該隣り合う頂部材間に保形杆体を該複数個の覆杆体のＸ状部分の上部間に位置して挿通架設してなることを特徴とする雪囲い。
【請求項２】
頂部材及び該頂部材を地面に立設可能な脚杆体からなる全体としてほぼ三角形状をなす複数個の支柱構造体を雪から保護すべき花木の両側位置にそれぞれ該花木の植列方向としての前後方向に間隔を置いて配設し、該花木の両側位置に配設された前後に隣り合う頂部材間にそれぞれ左右対向状に一対の横桟体を挿通架設し、該花木の両側位置の横桟体間に花木の上方を覆う状態で覆杆体を複数個架設すると共に一対の横桟体の対向間隙に複数個の覆杆体を該上方を覆う覆杆体と交互にＸ状に挿通して該覆杆体を地面に立設配置し、該花木の両側位置の前後に隣り合う頂部材間にそれぞれ保形杆体を該複数個の覆杆体のＸ状部分の上部間に位置して挿通架設してなることを特徴とする雪囲い。
【請求項３】
上記複数個の頂部材のうちの最前列及び最後列の頂部材を地面に立設配置可能な補助脚杆体を備えてなることを特徴とする請求項１又は２記載の雪囲い。
【請求項４】
上記頂部材に上記脚杆体を着脱自在に設けてなることを特徴とする請求項１〜３のいずれか１項に記載の雪囲い。
【発明の詳細な説明】
【０００１】
【発明の属する技術分野】
本発明は垣根、生垣等の並列する複数本の花木を雪から保護する際に用いられる雪囲いに関するものである。
【０００２】
【従来の技術】
【０００３】
特開平１１−１９２０２６号公報
【０００４】
従来、この種の雪囲いとして、例えば、複数個の竹や合成樹脂、金属等の支柱体を用いて庭師等の熟練者により生垣の花木を雪から保護する構造のものが知られている。
【０００５】
【発明が解決しようとする課題】
しかしながらこの従来構造の場合、縄やロープの縛着作業及び支柱体の配置作業は熟練を要する大変な作業となることがあり、又、取り外しも手間の掛かる厄介な作業となることがあるという不都合を有している。
【０００６】
【課題を解決するための手段】
本発明はこのような不都合を解決することを目的とし、本発明のうちで、請求項１記載の発明は、頂部材及び該頂部材を地面に立設可能な脚杆体からなる全体としてほぼ三角形状をなす複数個の支柱構造体を雪から保護すべき花木を跨ぐ状態で該花木の植列方向としての前後方向に間隔を置いて配設し、該前後に隣り合う頂部材間に左右対向状に一対の横桟体を挿通架設し、該一対の横桟体の対向間隙に複数個の覆杆体を左右交互にＸ状に挿通して該覆杆体を地面に立設配置し、該隣り合う頂部材間に保形杆体を該複数個の覆杆体のＸ状部分の上部間に位置して挿通架設してなることを特徴とする雪囲いにある。
【０００７】
又、請求項２記載の発明は、頂部材及び該頂部材を地面に立設可能な脚杆体からなる全体としてほぼ三角形状をなす複数個の支柱構造体を雪から保護すべき花木の両側位置にそれぞれ該花木の植列方向としての前後方向に間隔を置いて配設し、該花木の両側位置に配設された前後に隣り合う頂部材間にそれぞれ左右対向状に一対の横桟体を挿通架設し、該花木の両側位置の横桟体間に花木の上方を覆う状態で覆杆体を複数個架設すると共に一対の横桟体の対向間隙に複数個の覆杆体を該上方を覆う覆杆体と交互にＸ状に挿通して該覆杆体を地面に立設配置し、該花木の両側位置の前後に隣り合う頂部材間にそれぞれ保形杆体を該複数個の覆杆体のＸ状部分の上部間に位置して挿通架設してなることを特徴とする雪囲いにある。
【０００８】
又、請求項３記載の発明は、上記複数個の頂部材のうちの最前列及び最後列の頂部材を地面に立設配置可能な補助脚杆体を備えてなることを特徴とするものであり、又、請求項４記載の発明は、上記頂部材に上記脚杆体を着脱自在に設けてなることを特徴とするものである。
【０００９】
【発明の実施の形態】
図１乃至図９は本発明の実施の形態例を示し、図１乃至図６は第一形態例、図７乃至図９は第二形態例である。
【００１０】
図１乃至図６の第一形態例において、Ｋは支柱構造体であって、頂部材１、脚杆体２及び補助脚杆体３からなり、この頂部材１は合成樹脂や木材、金属等により製作され、脚杆体２及び補助脚杆体３は木材、竹や合成樹脂、金属等により製作され、この複数個の頂部材１の両側位置に嵌合凹部１ａ・１ａを形成し、複数個の脚杆体２に嵌合部２ａを形成し、各嵌合凹部１ａ・１ａに嵌合部２ａを着脱自在に嵌合し、最前列及び最後列の頂部材１の両側位置から斜めに下る状態で左右一対の脚杆体２・２を嵌着し、中間の頂部材１には外方位置から斜めに下る状態で脚杆体２を嵌着し、この複数個の脚杆体２雪から保護すべき並列する複数本の花木Ｗを跨ぐ状態で花木の植列方向としての前後方向に間隔を置いて脚杆体２を地面に突き刺して立設して複数個の頂部材１を前後に並列配置し、かつ、この最前列及び最後列の頂部材２の前位置に嵌合凹部１ｂを形成し、補助脚杆体３に嵌合部３ａを形成し、嵌合凹部１ｂに補助脚杆体３の嵌合部３ａを着脱自在に嵌合し、補助脚杆体３により頂部材１を安定的に配置するように構成している。
【００１１】
４・４は横桟体であって、木材、竹や合成樹脂、金属等により製作され、間隔を置いて前後に並列された隣り合う頂部材１・１・１間に架設され、この場合、上記三個の頂部材１に横桟体４・４を挿通可能な挿通穴部１ｃ・１ｃを左右対向状に二個形成し、隣り合う頂部材１・１・１の挿通穴部１ｃ・１ｃ・１ｃに横桟体４・４を挿通して頂部材１・１・１間に横桟体４・４を対向間隙Ｂを存して横桟体４・４を挿通架設するように構成している。
【００１２】
５は覆杆体であって、竹や木材、合成樹脂、金属等により製作され、一対の横桟体４・４の対向間隙Ｂに左右交互にＸ状に挿通されて複数個地面に立設配置され、この複数個の覆杆体５間の前後の配置ピッチは適宜定められる。
【００１３】
６は保形杆体であって、木材や竹、合成樹脂、金属等により製作され、上記複数個の覆杆体５のＸ状部分Ｓの上部間に配置されて前後に隣り合う頂部材１・１・１間に挿通架設され、この場合、頂部材１・１・１に上下に延びる長穴状の挿通穴部１ｄを上記左右の挿通穴部１ｃ・１ｃの中央部上方に位置して形成し、覆杆体５のＸ状部分Ｓの上部間に位置して覆杆体５に当接可能に位置することにより複数個の覆杆体５のＸ形状を保形するように構成している。
【００１４】
この実施の第一形態例は上記構成であるから、図１、図６の如く、頂部材１及び該頂部材１を地面Ｇに立設可能な左右一対の脚杆体２・２からなる全体としてほぼ三角形状をなす複数個の支柱構造体Ｋを雪から保護すべき花木Ｗを跨ぐ状態で花木Ｗの植列方向としての前後方向に間隔を置いて配設し、この前後に隣り合う頂部材１・１・１間に左右対向状に一対の横桟体４・４を挿通架設し、一対の横桟体４・４の対向間隙Ｂに複数個の覆杆体５を左右交互にＸ状に挿通して覆杆体５を地面に立設配置し、この隣り合う頂部材１・１・１間に保形杆体６を複数個の覆杆体５のＸ状部分Ｓの上部間に位置して挿通架設することになり、このため、複数個の覆杆体５により花木Ｗを覆うことができて花木Ｗを雪から保護することができる。
【００１５】
従って、複数個の支柱構造体Ｋを花木Ｗを跨ぐ状態で間隔を置いて地面Ｇに立設し、隣り合う支柱構造体Ｋ・Ｋの頂部材１・１間に一対の横桟体４・４を架設すると共にこの一対の横桟体４・４の対向間隙Ｂに複数個の覆杆体５を左右交互にＸ状に挿通して覆杆体５を地面に立設配置し、この隣り合う頂部材１・１・１間に保形杆体６を複数個の覆杆体５のＸ状部分Ｓの上部間に位置して挿通架設することにより花木Ｗを覆うことができて花木Ｗを雪から保護することができ、短時間で容易に雪囲い作業を行うことができ、かつ、保形杆体６により複数個の覆杆体５のＸ状部分Ｓを保形することができ、それだけ、支柱構造体Ｋ及び覆杆体５の全体としての構造強度を高めることができる。
【００１６】
又、この場合、上記複数個の頂部材１のうちの最前列及び最後列の頂部材１を地面に立設配置可能な補助脚杆体３を備えてなるから、支柱構造体Ｋを地面Ｇに安定的に立設配置することができ、又、この場合、上記頂部材１に上記脚杆体２を着脱自在に設けてなるから、降雪期間外の不使用時においては、脚杆体２を頂部材１から取り外すことによりコンパクトに収納保管することができ、使用の利便性を高めることができる。
【００１７】
図７乃至図９の第二形態例は別例構造を示し、この場合、上記支柱構造体Ｋを保護すべき花木Ｗの両側位置にそれぞれ花木Ｗの植列方向としての前後方向に間隔を置いて配設し、この花木Ｗの両側位置に配設された前後に隣り合う頂部材１・１・１間にそれぞれ左右対向状に一対の横桟体４・４を挿通架設し、花木の両側位置の横桟体４・４間に花木Ｗの上方を覆う状態で覆杆体５を複数個架設すると共に一対の横桟体４・４の対向間隙Ｂに複数個の覆杆体５を前記上方を覆う覆杆体５と交互にＸ状に挿通して、この覆杆体５を地面に立設配置し、花木Ｗの両側位置の前後に隣り合う頂部材１・１・１間にそれぞれ保形杆体６・６を複数個の覆杆体５のＸ状部分Ｓの上部間に位置して挿通架設して構成している。
【００１８】
この第二形態例にあっては、支柱構造体Ｋを保護すべき花木Ｗの両側位置にそれぞれ花木Ｗの植列方向としての前後方向に間隔を置いて配設し、この花木Ｗの両側位置に配設された前後に隣り合う頂部材１・１・１間にそれぞれ左右対向状に一対の横桟体４・４を挿通架設し、花木の両側位置の横桟体４・４間に花木Ｗの上方を覆う状態で覆杆体５を複数個架設すると共に一対の横桟体４・４の対向間隙Ｂに複数個の覆杆体５を前記上方を覆う覆杆体５と交互にＸ状に挿通して、この覆杆体５を地面に立設配置し、花木Ｗの両側位置の前後に隣り合う頂部材１・１・１間にそれぞれ保形杆体６・６を複数個の覆杆体５のＸ状部分Ｓの上部間に位置して挿通架設することにより上記第一形態例と同様に花木Ｗを覆うことができて花木Ｗを雪から保護することができ、短時間で容易に雪囲い作業を行うことができ、かつ、保形杆体６により複数個の覆杆体５のＸ状部分Ｓを保形することができ、それだけ、支柱構造体Ｋ及び覆杆体５の全体としての構造強度を高めることができる。
【００１９】
尚、本発明は上記実施の形態例に限らず、支柱構造体Ｋ、脚杆体２及び補助脚体杆３の形態や個数、構造、大きさ等は適宜変更して設計される。
【００２０】
【発明の効果】
本発明は上述の如く、請求項１記載の発明にあっては、複数個の支柱構造体を花木を跨ぐ状態で間隔を置いて地面に立設し、隣り合う支柱構造体の頂部材間に一対の横桟体を架設すると共にこの一対の横桟体の対向間隙に複数個の覆杆体を左右交互にＸ状に挿通して覆杆体を地面に立設配置し、この隣り合う頂部材間に保形杆体を複数個の覆杆体のＸ状部分の上部間に位置して挿通架設することにより花木を覆うことができて花木を雪から保護することができ、短時間で容易に雪囲い作業を行うことができ、かつ、保形杆体により複数個の覆杆体のＸ状部分を保形することができ、それだけ、支柱構造体及び覆杆体の全体としての構造強度を高めることができる。
【００２１】
又、請求項２記載の発明にあっては、支柱構造体を保護すべき花木の両側位置にそれぞれ花木の植列方向としての前後方向に間隔を置いて配設し、この花木の両側位置に配設された前後に隣り合う頂部材間にそれぞれ左右対向状に一対の横桟体を挿通架設し、花木の両側位置の横桟体間に花木の上方を覆う状態で覆杆体を複数個架設すると共に一対の横桟体の対向間隙に複数個の覆杆体を前記上方を覆う覆杆体と交互にＸ状に挿通して、この覆杆体を地面に立設配置し、花木の両側位置の前後に隣り合う頂部材間にそれぞれ保形杆体を複数個の覆杆体のＸ状部分の上部間に位置して挿通架設することにより花木を覆うことができて花木を雪から保護することができ、短時間で容易に雪囲い作業を行うことができ、かつ、保形杆体により複数個の覆杆体のＸ状部分を保形することができ、それだけ、支柱構造体及び覆杆体の全体としての構造強度を高めることができる。
【００２２】
又、請求項３記載の発明にあっては、上記複数個の頂部材のうちの最前列及び最後列の頂部材を地面に立設配置可能な補助脚杆体を備えてなるから、支柱構造体を地面に安定的に立設配置することができ、又、請求項４記載の発明にあっては、上記頂部材に上記脚杆体を着脱自在に設けてなるから、降雪期間外の不使用時においては、脚杆体を頂部材から取り外すことによりコンパクトに収納保管することができ、使用の利便性を高めることができる。
【００２３】
以上所期の目的を充分達成することができる。
【図面の簡単な説明】
【図１】本発明の実施の第一形態例の全体斜視図である。
【図２】本発明の実施の第一形態例の部分斜視図である。
【図３】本発明の実施の第一形態例の部分断面図である。
【図４】本発明の実施の第一形態例の部分横断面図である。
【図５】本発明の実施の第一形態例の部分横断面図である。
【図６】本発明の実施の第一形態例の使用状態の側面図である。
【図７】本発明の実施の第二形態例の全体斜視図である。
【図８】本発明の実施の第二形態例の部分横断面図である。
【図９】本発明の実施の第二形態例の使用状態の側面図である。
【符号の説明】
Ｗ  花木
Ｋ  支柱構造体
Ｂ  対向間隙
Ｓ  Ｘ状部分
Ｇ  地面
１  頂部材
２  脚杆体
３  補助脚杆体
４  横桟体
５  覆杆体
６  保形杆体
【図１】
2004242629.tif 000003
【図２】
2004242629.tif 000004
【図３】
2004242629.tif 000005
【図４】
2004242629.tif 000006
【図５】
2004242629.tif 000007
【図６】
2004242629.tif 000008
【図７】
2004242629.tif 000009
【図８】
2004242629.tif 000010
【図９】
2004242629.tif 000011